(57)【特許請求の範囲】
【請求項１】
室外熱交換器で冷媒の蒸発熱を室外空気から汲み上げ、給湯用水加熱器で圧縮機からの吐出ガスの熱により給湯用水を加熱し、加熱された給湯用水を貯湯タンクに貯留するヒートポンプ式給湯装置において、
前記圧縮機、電動膨張弁等の膨張装置、室外熱交換器及びアキュムレータを少なくとも備えた圧縮ユニット部と、給湯用水加熱器を備えた熱交ユニット部と、貯湯タンク及び給湯用水ポンプを備えた貯湯ユニット部とに分割し、
前記圧縮ユニット部の一側部に前記熱交ユニット部を取り付けて、両ユニット部同士を横並びに一体化して構成し、
前記圧縮ユニット部は底板に水排出口を備えており、前記熱交ユニット部はその底板を圧縮ユニット部側に向けて下り勾配となるように傾斜させ、その底板上に落下した水を圧縮ユニット部の底板上に流すべく、前記圧縮ユニット部の底板の側端部を圧縮ユニット部の底板上に臨ませたことを特徴とするヒートポンプ式給湯装置。
【請求項２】
前記圧縮ユニット部は、前面側を室外空気吹出側、背面側を室外空気吸込側とし、室外熱交換器を圧縮ユニット部の背面と一方の側面に沿うように略Ｌ型の平面形に形成し、室外ファンを前記室外熱交換器の前面側に配置し、圧縮機、電動膨張弁等の膨張装置及びアキュムレータを室外熱交換器の存在しない方の側部に配置したことを特徴とする請求項１記載のヒートポンプ式給湯装置。
【請求項３】
前記熱交ユニット部は、圧縮ユニット部の、圧縮機、電動膨張弁等の膨張装置及びアキュムレータが設けられている方の側面に取り付けられていることを特徴とする請求項１に記載のヒートポンプ式給湯装置。
【発明の詳細な説明】
【０００１】
【発明の属する技術分野】
本発明は、室外熱交換器で冷媒の蒸発熱を室外空気から汲み上げ、給湯用水加熱器で圧縮機吐出ガスの熱により給湯用水を加熱し、加熱された給湯用水を貯湯タンクに貯留するヒートポンプ式給湯装置に関する。
【０００２】
【従来の技術】
従来の給湯装置には、室外熱交換器で冷媒の蒸発熱を室外空気から汲み上げ、給湯用水加熱器で圧縮機吐出ガスの熱により給湯用水を加熱し、加熱された給湯用水を貯湯タンクに貯留するヒートポンプ式給湯装置がある。このヒートポンプ式給湯装置は、冷媒を圧縮する圧縮機、圧縮機吐出ガスで給湯用水を加熱する給湯用水加熱器、膨張装置、室外空気と熱交換する室外熱交換器、圧縮機の吸入側に取り付けられるアキュムレータ、給湯用水用ポンプ及び貯湯タンクを主要機器としている。したがって、このヒートポンプ式給湯装置における冷凍装置部分は、構成機器の点において従来の汎用空気調和機（例えば、ルームエアコン）の室外ユニットと共通する点が多い。
【０００３】
【発明が解決しようとする課題】
ヒートポンプ式給湯装置は、汎用の空気調和機に比較して普及率が低いことから、機器の構成やユニット化の仕方などコスト軽減の方策についての検討は未だ十分になされていない。一方、前述のように構成機器の点で共通する点の多い汎用空気調和機は、コスト軽減と使用における利便性を追求した設計がなされている。
【０００４】
そこで、本発明は、外気を熱源とするヒートポンプ式給湯装置の冷凍装置を構成する部分で、従来の空気調和機の室外ユニットとの共通性を図ることにより、ヒートポンプ式給湯装置のコストダウンを図りつつ、進入した雨水の排水処理を確実に行えるようにすることを目的とする。
【０００５】
【課題を解決するための手段】
上記のような目的を達成するために、請求項１に記載の本発明は、室外熱交換器で冷媒の蒸発熱を室外空気から汲み上げ、給湯用水加熱器で圧縮機からの吐出ガスの熱により給湯用水を加熱し、加熱された給湯用水を貯湯タンクに貯留するヒートポンプ式給湯装置において、前記圧縮機、電動膨張弁等の膨張装置、室外熱交換器及びアキュムレータを少なくとも備えた圧縮ユニット部と、給湯用水加熱器を備えた熱交ユニット部と、貯湯タンク及び給湯用水ポンプを備えた貯湯ユニット部とに分割し、前記圧縮ユニット部の一側部に前記熱交ユニット部を取り付けて、両ユニット部同士を横並びに一体化して構成し、前記圧縮ユニット部は底板に水排出口を備えており、前記熱交ユニット部はその底板を圧縮ユニット部側に向けて下り勾配となるように傾斜させ、その底板上に落下した水を圧縮ユニット部の底板上に流すべく、前記圧縮ユニット部の底板の側端部を圧縮ユニット部の底板上に臨ませたことを特徴とする。
【０００６】
このように構成すれば、圧縮ユニット部は、主構成機器を汎用の空気調和機の室外ユニットと共通化することが可能であるのは勿論のこと、外形寸法、外観、機器配置、ケーシング等の点で空気調和機用の室外ユニットとの共通性を備えたものとすることができ、装置のコスト軽減を図ることができる。また、圧縮ユニット部と熱交ユニット部とが一体化されるので、機器を搬入据付する場合の取扱が容易になる。その上、圧縮ユニット部の室外熱交換器で発生するドレン水、圧縮ユニット部に進入した雨水、熱交ユニット部に進入した雨水を１個所から排出することができ、このユニット部内からの排水処理を簡易化することができる。なお、この場合、圧縮ユニット部は、通常の空気調和機の冷媒配管とは少し異なる。例えば、冷房専用の空気調和機の室外ユニットでは、圧縮機→室外熱交換器→膨張装置（→室内ユニットの室内コイル）→アキュムレータ→圧縮機と接続されるのに対して、本発明の場合には、圧縮機→（熱交ユニット部の給湯用水加熱器）→膨張装置→室外熱交換器→アキュムレータ→圧縮機となるように配管をする必要がある。また、機器の使用や制御についても、ヒートポンプ式給湯装置として構成するために必要に応じて従来の空気調和機と仕様を変更されるものとする。
【０００７】
また、前記圧縮ユニット部は、前面側を室外空気吹出側、背面側を室外空気吸込側とし、室外熱交換器を圧縮ユニット部の背面と一方の側面に沿うように略Ｌ型の平面形に形成し、室外ファンを前記室外熱交換器の前面側に配置し、圧縮機、電動膨張弁等の膨張装置及びアキュムレータを室外熱交換器の存在しない方の側部に配置したものとすることができる。
【０００８】
このように構成すれば、圧縮ユニット部を、薄型の室外ユニットとして構成される空気調和機用室外ユニットとの共通化をより進めることが容易になる。
【０００９】
また、圧縮ユニット部の、圧縮機、電動膨張弁等の膨張装置及びアキュムレータが設けられている方の側面に、前記熱交ユニット部を取り付けるようにしてもよい。
【００１０】
このように構成すれば、給湯用水加熱器と圧縮機吐出側及び電動膨張弁等の膨張装置との距離を短くすることができ、これら機器間を接続する冷媒配管を簡略化することができる。
【００１１】
【００１２】
【００１３】
【００１４】
【００１５】
【００１６】
【００１７】
【００１８】
【００１９】
【００２０】
【００２１】
【発明の実施の形態】
実施の形態１．
以下、本発明の実施の形態を、図面を参照しながら詳細に説明する。図１は本発明の実施の形態１に係るヒートポンプ式給湯装置の概略構成説明図であり、図２は同実施の形態１における圧縮ユニット部及び熱交ユニット部の正面図であって、前面側パネルの下方部を切除した状態で表わしたものであり、図３は同実施の形態１における圧縮ユニット部及び熱交ユニット部の平面図であり、図４は同実施の形態１における圧縮ユニット部及び熱交ユニット部の機器配置平面図であり、図５は同実施の形態１における圧縮ユニット部及び熱交ユニット部の背面図であり、図６は同実施の形態１における圧縮ユニット部及び熱交ユニット部の右側面図である。なお、図１において、実線矢印は冷媒の流れを示す。
【００２２】
実施の形態１に係る給湯装置は、図１の概略構成説明図から分るように、圧縮ユニット部１、熱交ユニット部２、貯湯ユニット部３から構成されている。
【００２３】
圧縮ユニット部１は、従来の汎用空気調和機に係る室外ユニットを基本構成として、これをヒートポンプ式給湯装置用に変更したものである。その、具体的構成について述べる。
【００２４】
圧縮ユニット部１内には、圧縮機１１、電動膨張弁等の膨張装置１２、室外熱交換器１３、アキュムレータ１４が収納され、順次接続されている。そして、室外熱交換器１３は、図４からよく分るように、平面形状を略Ｌ型とし、長辺部１３ａをこの圧縮ユニット部１の背面側とし、短辺部１３ｂを圧縮ユニット部１の側面側とするように配設している。また、この長辺部１３ａの端面に、室外熱交換器１３と他機器とを接続するための冷媒配管が接続されている。また、この長辺部１３ａの端面周辺部、つまり圧縮ユニット部１の一側部には、仕切壁１ａにより区画される機器室１ｂが設けられ、この機器室１ｂの内部には、圧縮機１１、膨張装置１２（図２では図示せず）、アキュムレータ１４が配置されている。また、この室外熱交換器１３の長辺部の前面側には室外ファン１５が配置されている。これら機器構成は、従来の室外ユニットと同一であるが、機器の仕様や制御内容は、ヒートポンプ式給湯装置用に設計されるため、従来の室外ユニットと異なる点もあるが、外形的には共通性を備えたものが使用される。
【００２５】
熱交ユニット部２は、圧縮機１１の吐出冷媒ガスの有する熱で給湯用水を加熱する給湯用水加熱器２１を収納したものであって、特に図４からよく分るように、前述の機器室１ｂに隣接して、圧縮ユニット部１の機器室１ｂ側の側面に固定され、圧縮ユニット部１と一体化されている。なお、給湯用水加熱器２１は、詳細構造を図面に示していないが、給湯用水を通過させる熱交換チューブと圧縮機１１の吐出冷媒ガスを通過させる熱交換チューブとを接触させ、給湯用水と冷媒との間で熱交換させるように形成したものである。
【００２６】
また、熱交ユニット部２には、図４に示されるように、電源配線を接続するための端子盤ボックス２２の開放口が背面板に向くように取り付けられている。また、熱交ユニット部２の背面には、水配管接続用エルボ２３が取り付けられている。この水配管接続用エルボ２３は配管接続方向が背面と平行な面において、３６０度変更できるように構成されている。
【００２７】
また、熱交ユニット部２は、特に図４からよく分るように、その底板２ａを圧縮ユニット部１側に傾斜させ、この底板２ａ上に落下した水を圧縮ユニット部１の底板１ｃ上に流すことができるように、熱交ユニット部２の底板２ａの側端部を前記圧縮ユニット部１の底板１ｃ上に臨ませている。なお、圧縮ユニット部１の底面中央部には、室外熱交換器１３で発生するドレンや圧縮ユニット部１内に浸入した雨水を外部に排水させるための排水口（図示せず）が設けられている。
【００２８】
貯湯ユニット部３は、詳細構造図は省略するが、図１から分るように、貯湯タンク３１を備えたものであって、圧縮ユニット部１及び熱交ユニット部２とは独立したユニットとして構成されている。貯湯タンク３１は、水配管３２により前記給湯用水加熱器２１と接続されている。水配管３２中には、給湯用水ポンプ３３が設けられている。貯湯タンク３１には、給湯栓に接続される給湯配管３４、水道水を貯湯タンク３１に補給する補給水配管３５が接続されている。なお、給湯用水ポンプ３３は、貯湯ユニット部３内に設けられている。
【００２９】
圧縮ユニット部１及び熱交ユニット部２が上記のように構成され、冷媒配管は次のように従来の空気調和機のものとは変更される。すなわち、実施の形態１における冷媒回路は、圧縮機１１→給湯用水加熱器２１→膨張装置１２→室外熱交換器１３→アキュムレータ１４→圧縮機１１と接続される。したがって、従来の例えば、冷房専用の空気調和機の室外ユニットでは、圧縮機１１→室外熱交換器１３→膨張装置１２（→室内ユニットの室内コイル）→アキュムレータ１４→圧縮機１１と接続されるのに対して、本発明の圧縮ユニット部１では、圧縮機１１→（熱交ユニット部２の給湯用水加熱器２１）→膨張装置１２→室外熱交換器１３→アキュムレータ１４→圧縮機１１となるように配管をする必要がある。
【００３０】
また、冷媒回路には、二酸化炭素が冷媒として充填されている。したがって、この冷凍サイクルは、通常の使用において高圧圧力が臨界圧力以上となる超臨界冷凍サイクルを構成し、給湯用水加熱器２１が高圧側冷却器として作用しつつ給湯用水を加熱し、室外熱交換器１３が蒸発器として作用する。このために、圧縮機として二酸化炭素用のものが使用される。
【００３１】
前述のように構成される圧縮ユニット部１は、圧縮機１１、膨張装置１２、室外熱交換器１３、アキュムレータ１４を主構成機器とすることで、通常の空気調和機（ルームエアコン）の室外ユニットと共通する。このため、これら機器を共用する他、圧縮ユニット部１のケーシングの大部分をも通常の空気調和機の室外ユニットと共用している。したがって、圧縮ユニット部１の外観は、図２及び図３から分るように、通常の空気調和機における室外ユニットの外観と同様のものとされている。
【００３２】
このように、本実施の形態に係るヒートポンプ式給湯装置における冷凍装置部分は、圧縮ユニット部１に対し熱交ユニット部２が一体に取り付けられたものであって、特に、熱交ユニット部２は、圧縮ユニット部１の機器室側の側面部に取り付けられている。そして、このように一体化された機器を持ち運びするための把手４１、４２、４３が、圧縮ユニット部１の反機器室側の側面、及び熱交ユニット部２の側面（図６参照）及び背面（図５参照）にそれそれ１個取り付けられている。
【００３３】
また、この把手４１、４２、４３は、汎用空気調和機の室外ユニット用のものと同一としている。具体的には、把手４１、４２は従来の空気調和機の室外ユニットの機器室が配置されていない方の側面部に取り付けられていたものと同一であり、把手４３は、従来の空気調和機の室外ユニットの機器室が配置されている方の側面部に取り付けられていたものと同一である。すなわち、把手４３は、端子盤ボックス２２を閉じる端子カバー５０の一部を窪ませ、この窪ませた部分を把手として兼用するものである。
【００３４】
以上のごとく構成された実施の形態１によれば、次の効果を奏することができる。ヒートポンプ式給湯装置を、圧縮機１１、電動膨張弁等の膨張装置１２、室外熱交換器１３、アキュムレータ１４を少なくとも備えた圧縮ユニット部１と、給湯用水加熱器２１を備えた熱交ユニット部２と、貯湯タンク３１、給湯用水ポンプ３３を備えた貯湯ユニット部３とに分割し、この圧縮ユニット部１に前記熱交ユニット部２を取り付けて、これら両ユニットを一体化した構造としているので、主要機器、外形寸法、外観、機器配置、ケーシング等の点で空気調和機用の室外ユニットとの共通仕様を備えたものとすることができ、装置のコスト軽減を図ることができる。
【００３５】
また、圧縮ユニット部１は、前面側を室外空気吹出側、背面側を室外空気吸込側とし、室外熱交換器１３を背面と一方の側面に沿うように略Ｌ型の平面形に形成し、室外ファン１５を室外熱交換器１３の前面側に配置し、圧縮機１１、電動膨張弁等の膨張装置１２及びアキュムレータ１４を室外熱交換器１３の存在しない方の側部に配置しているので、圧縮ユニット部１を、薄型の室外ユニットとして構成される空気調和機用室外ユニットとの共通化を図ることが容易になる。
【００３６】
また、熱交ユニット部２が、圧縮ユニット部１の、圧縮機１１、電動膨張弁等の膨張装置１２及びアキュムレータ１４を設けている側の機器室１ｂの側面側に取り付けられているので、圧縮ユニット部１と熱交ユニット部２とが一体化され、機器を搬入据付する場合の取扱が容易になる。また、給湯用水加熱器２１と、この給湯用水加熱器２１が接続される圧縮機１１及び膨張装置１２との距離を短くすることができ、これら機器間を接続する冷媒配管を簡略化することができる。
【００３７】
また、圧縮ユニット部１は、底板に水排出口を備えたものであって、熱交ユニット部２は、その底板２ａを圧縮ユニット部１側に傾斜させ、この底板２ａ上に落下した水を圧縮ユニット部１の底板１ｃ上に流すことができるように、熱交ユニット部２の底板２ａの側端部を圧縮ユニット部１の底板１ｃ上に臨ませるようにしているので、圧縮ユニット部１の室外熱交換器１３で発生するドレン水、圧縮ユニット部１に進入した雨水、熱交ユニット部２に進入した雨水を１個所から排出することができ、この一体化ユニットからの排水処理を簡易化することができる。
【００３８】
また、把手４１、４２、４３を、圧縮ユニット部１の熱交ユニット２が取り付けられていない側の側面、熱交ユニット２の側面及び背面に設けたので、重量が軽い側には把手が１個設けられているだけであるが、重量が偏る熱交ユニット部２側には把手が２個設けられているので、この一体化ユニットの取扱が容易になる。
【００３９】
また、この把手４１、４２、４３は、汎用空気調和機の室外ユニット用のものと同一としている。特に、把手４３は、熱交ユニット部２に取り付けられる端子カバー５０と一体に形成されたものであり、このように、特殊な把手４３をも兼用させることにより、空気調和機の室外ユニットとの共通性をより一層図ることができる。また、これにより把手４１、４２、４３のうち、一つ把手４３の構成及び端子盤カバー５０の構成を簡略化することができる。
【００４０】
また、ヒートポンプ式給湯装置を構成する冷媒回路に冷媒として、二酸化炭素を充填し、圧縮機１１として二酸化炭素用のものを使用しているので、従来の空気調和機用の室外ユニットを、外形寸法、外観、室外熱交換器及び同熱交換器用送風機周りの構造、ケーシングなどの点で共通性を残しながら、二酸化炭素を冷媒とするヒートポンプ式給湯装置の圧縮ユニット部１を得ることができ、オゾン層破壊などの地球環境問題への対応機とすることができ、さらに、高温の給湯用温水を効率よく得ることができる。
【００４１】
実施の形態２．
次に、実施の形態２について、図７に基づき説明する。この実施の形態２は、実施の形態１における熱交ユニット部２の取付けを左右対称的に変更したものである。なお、この図７において、実施の形態１と同一の要素には同一の符号を付しその説明を省略している。
【００４２】
熱交ユニット部２０は、実施の形態１に係る熱交ユニット部２の構成を左右対称的に形成したものである。そして、この熱交ユニット部２０は、圧縮ユニット部１の機器室１ｂと反対側の側部において、圧縮ユニット部１に取り付けられて一体化されている。
【００４３】
実施の形態２はこのように構成されているので、給湯用水加熱器２１と圧縮機１１の間及び給湯用水加熱器２１と膨張装置１２との間の冷媒配管が長くなるが、圧縮ユニット部１と熱交ユニット部２とを一体化したユニットとしては、左右の重量バランスが良くなり、取扱が容易になる。
【００４４】
実施の形態３．
次に、実施の形態３について図７により説明する。実施の形態３に係るヒートポンプ式給湯装置は、圧縮ユニット部１Ａと、熱交ユニット部２Ａと、基台６０と、貯湯ユニット部（図示しないが実施の形態１、２のものと同一である）とからなる。
【００４５】
また、圧縮ユニット部１Ａ及び熱交ユニット部２Ａは、基本的な機能及び構成の点において実施の形態１又は２と同一のものであるが、それぞれ別体として構成され、別々に組み立てられる点において実施の形態１、２と相違する。また、基台６０は、この実施の形態３特有のものである。基台３は、上記のような両ユニット部１Ａ、２Ａを工場において左右に並べて載置して固定する。なお、６１、６２は、レベル調整具であって、このような給湯装置の据付現場でのレベル調整を行い易くするために取り付けられている。
【００４６】
実施の形態３は、このように構成されているので、実施の形態１、２のように圧縮ユニット部１の側面に熱交ユニット部２を取り付けて、一体的構成としたものとは異なり、圧縮ユニット部１Ａのケーシングの共通性を増すなどのことにより、より一層汎用空気調和機の室外ユニットとの共通性を増すことができる。
【００４７】
上記実施の形態を以下のように変形することができる。実施の形態１〜３では、冷媒として二酸化炭素を使用しているが、従来の空気調和機と同様の冷媒として使用することも可能である。この場合には、得られる温水温度が低くなるが、従来の空気調和機における室外ユニットとの共通性を多くすることは可能である。
【００４８】
実施の形態１〜３においては、冷媒として二酸化炭素を使用し、圧縮機を二酸化炭素用に開発されたものを使用していたが、これに代え、他の冷媒及び圧縮機を用いてもよい。すなわち、冷媒として、ＨＣＦＣ２２冷媒より吐出ガス温度が高くなる、ハイドロカーボン、アンモニヤなどの自然冷媒や、ＨＦＣ３２、ＨＦＣ３２を含む混合冷媒などの代替フロンを充填し、圧縮機１１としてそれぞれの冷媒用に開発されたものを使用するようにしてもよい。このようにしても、オゾン層破壊などの地球環境問題への対応機とすることができ、さらに、高温の給湯用温水を効率よく得ることができる。
【００４９】
実施の形態１〜３において、圧縮機１１として、密閉ケーシング内に低段側圧縮機構、高段側圧縮機構を収納し、これら圧縮機構を１台の電動機で駆動する２段圧縮機としても良い。このようにすれば、冷媒として二酸化炭素を用いる場合に、高信頼性、低振動、低騒音、高効率な圧縮機とすることができる。また、この２段圧縮機の電動機をインバータ駆動式とし、給湯負荷に対応して運転周波数を変更して能力制御するようにしてもよい。
【００５０】
実施の形態３において、圧縮ユニット部１Ａと熱交ユニット部２Ａとを左右に並べて配置する基台６０は、平板上である必要はない。例えば、２本のフレームを組み合わせたようなものに取り付けるようにしたものでもよく、他の適宜の結合部材によりこの両者１Ａ、２Ａを結合するようにしてもよい。
【００５１】
【発明の効果】
本発明は以上のように構成されているので、次のような効果を奏する。請求項１記載の発明に係るヒートポンプ式給湯装置によれば、室外熱交換器で冷媒の蒸発熱を室外空気から汲み上げ、給湯用水加熱器で圧縮機からの吐出ガスの熱により給湯用水を加熱し、加熱された給湯用水を貯湯タンクに貯留するヒートポンプ式給湯装置において、前記圧縮機、電動膨張弁等の膨張装置、室外熱交換器及びアキュムレータを少なくとも備えた圧縮ユニット部と、給湯用水加熱器を備えた熱交ユニット部と、貯湯タンク及び給湯用水ポンプを備えた貯湯ユニット部とに分割し、前記圧縮ユニット部の一側部に前記熱交ユニット部を取り付けて、両ユニット部同士を横並びに一体化して構成したので、主構成機器、外形寸法、外観、機器配置、ケーシング等の点で空気調和機用の室外ユニットと共通性を備えたものとすることができ、装置のコスト軽減を図ることができると共に、圧縮ユニット部と熱交ユニット部とが横並びに一体化されるので、機器の搬入据付時の取扱が容易になるのは勿論のこと、圧縮ユニット部は底板に水排出口を備えており、前記熱交ユニット部はその底板を圧縮ユニット部側に向けて下り勾配となるように傾斜させ、その底板上に落下した水を圧縮ユニット部の底板上に流すべく、前記圧縮ユニット部の底板の側端部を圧縮ユニット部の底板上に臨ませた構成であるから、圧縮ユニット部の室外熱交換器で発生するドレン水、圧縮ユニット部に進入した雨水、熱交ユニット部に進入した雨水を１個所から排出することができ、このユニット部内からの排水処理を簡易化することができる。
【００５２】
また、請求項２記載の発明に係るヒートポンプ式給湯装置によれば、前記圧縮ユニット部は、前面側を室外空気吹出側、背面側を室外空気吸込側とし、室外熱交換器を圧縮ユニット部の背面と一方の側面に沿うように略Ｌ型の平面形に形成し、室外ファンを前記室外熱交換器の前面側に配置し、圧縮機、電動膨張弁等の膨張装置及びアキュムレータを室外熱交換器の存在しない方の側部に配置したので、上記請求項１の発明の効果に加え、圧縮ユニット部を、薄型の室外ユニットとして構成される空気調和機用室外ユニットとの共通化をより進めることができる。
【００５３】
また、請求項３記載の発明に係るヒートポンプ式給湯装置によれば、前記熱交ユニット部は、圧縮ユニット部の、圧縮機、電動膨張弁等の膨張装置及びアキュムレータが設けられている側の側面に取り付けられているので、上記請求項１の発明の効果に加え、給湯用水加熱器と圧縮機吐出側及び電動膨張弁等の膨張装置との距離を短くすることができ、これら機器間を接続する冷媒配管を簡略化することができる。
【００５４】
【００５５】
【００５６】
【００５７】
【００５８】
【００５９】
【００６０】
【００６１】
【００６２】
【図面の簡単な説明】
【図１】  本発明の実施の形態１に係るヒートポンプ式給湯装置の概略構成説明図である。
【図２】  同実施の形態１における圧縮ユニット部及び熱交ユニット部の正面図であって、前面側パネルの下方部を切除した状態で表わしたものである。
【図３】  同実施の形態１における圧縮ユニット部及び熱交ユニット部の平面図である。
【図４】  同実施の形態１における圧縮ユニット部及び熱交ユニット部の機器配置平面図である。
【図５】  同実施の形態１における圧縮ユニット部及び熱交ユニット部の背面図である。
【図６】  同実施の形態１における圧縮ユニット部及び熱交ユニット部の右側面図である。
【図７】  本発明の実施の形態２に係る圧縮ユニット部及び熱交ユニット部の機器配置平面図である。
【図８】  本発明の実施の形態３に係る圧縮ユニット部及び熱交ユニット部の正面図である。
【符号の説明】
１、１Ａ      圧縮ユニット部
１ａ   仕切壁
１ｂ   機器室
１ｃ   底板
２、２Ａ      熱交ユニット部
２ａ   底板
３     貯湯ユニット部
１１   圧縮機
１２   膨張装置
１３   室外熱交換器
１３ａ 長辺部
１３ｂ 短辺部
１４   アキュムレータ
１５   室外ファン
２０   熱交ユニット部
２１   給湯用水加熱器
３１   貯湯タンク
４１、４２、４３     把手
５０  端子盤カバー
６０   基台
【図１】
0003702218.tif 000002
【図２】
0003702218.tif 000003
【図３】
0003702218.tif 000004
【図４】
0003702218.tif 000005
【図５】
0003702218.tif 000006
【図６】
0003702218.tif 000007
【図７】
0003702218.tif 000008
【図８】
0003702218.tif 000009